(57)【要約】【課題】本発明は、個人情報の保護を適切に行いつつ、ユーザの利便性を向上させることのできる情報端末を提供する。【解決手段】本発明の情報端末は、予めロック設定パスワードと、制限設定パスワードをセキュア記憶部２０に保持しておき、ロック解除パスワードの入力を受け付けて、ロック設定パスワードとロック解除パスワードが一致するか否かをチェックする（ステップＳ１０５）。Ｎ回以内に一致させられず（Ｓ１０７：ＮＯ）、その後一致した場合には（Ｓ１０５：ＹＥＳ）、更に、制限解除パスワードの入力を受け付けて（Ｓ１１４）、制限設定パスワードと、制限解除パスワードが一致するか否かをチェックする（Ｓ１１５）。【選択図】図４
2008148048.tif 000002
【特許請求の範囲】
【請求項１】
ロック解除のための第１の認証手段における所定数の認証失敗を検出する失敗検出手段と、
前記第１の認証の解除を検出する第１解除検出手段と、
前記所定数の認証失敗及び前記第１の認証の解除を検出した場合に、第２の認証手段を有効にする有効化手段と
を備えることを特徴とする情報端末。
【請求項２】
前記有効化手段は、更に、前記第１の認証の解除を検出した場合に、予め設定された機能以外の使用制限を解除し、
前記情報端末は、更に、
前記第２の認証の解除を検出する第２解除検出手段と、
前記第２の認証の解除が検出された場合に、前記予め設定された機能の使用制限を解除する制限解除手段と
を備えることを特徴とする請求項１に記載の情報端末。
【請求項３】
前記有効化手段は、前記第２の認証手段として、前記第１の認証よりも認証強度が高い認証を実行する手段を有効化する
ことを特徴とする請求項２に記載の情報端末。
【請求項４】
前記情報端末は、更に、
前記所定数の認証失敗を検出した場合の連絡先を記憶している記憶手段を備え、
前記第１解除検出手段は、前記第１の認証の解除を検出した場合に、更に、前記第２の認証を解除するための認証情報を生成し、前記連絡先に対して前記認証情報を通知する
ことを特徴とする請求項２に記載の情報端末。
【請求項５】
前記情報端末は、更に、
利用者による操作を受け付ける操作受付手段と、
予め定められた操作を記憶しているシーケンス記憶手段と
を備え、
前記有効化手段は、前記操作受付手段が受け付けた操作が、前記シーケンス記憶手段に記憶されている操作と一致した場合に、前記第２の認証手段を有効化する
ことを特徴とする請求項１に記載の情報端末。
【請求項６】
情報端末に適用されるロック制御方法であって、
ロック解除のための第１の認証プロセスにおける所定数の認証失敗を検出する失敗検出ステップと、
前記第１の認証の解除を検出する第１解除検出ステップと、
前記所定数の認証失敗及び前記第１の認証の解除を検出した場合に、第２の認証プロセスを有効化する有効化ステップと
を含むことを特徴とするロック制御方法。
【請求項７】
情報端末に適用されるロック制御プログラムであって、
ロック解除のための第１の認証プロセスにおける所定数の認証失敗を検出する失敗検出ステップと、
前記第１の認証の解除を検出する第１解除検出ステップと、
前記所定数の認証失敗及び前記第１の認証の解除を検出した場合に、第２の認証プロセスを有効化する有効化ステップと
を含むことを特徴とするロック制御プログラム。
【発明の詳細な説明】
【技術分野】
【０００１】
本発明はロック機能を備える情報端末に関し、特に情報端末のセキュリティ強度を向上させる技術に関するものである。
【背景技術】
【０００２】
近年、携帯電話機などの情報端末が爆発的に普及しており、盗難、紛失などの機会が増えて、前記モバイル機器に記憶させている個人情報の保護が課題となっている。
上記課題に鑑み、情報端末等が盗難、紛失した場合であっても個人情報を保護するための技術が、特許文献１に開示されている。
特許文献１によると、携帯端末は指紋センサを備え、また予め正規ユーザーの指紋情報を記憶しており、指紋センサで読み取った指紋情報が、予め記憶させた正規ユーザの指紋情報と一致しない場合に、基地局にその結果を通知する。前記結果に基づき、該当する携帯端末の使用を制限したり、有線電話で所有者に連絡するなど、各種の対策を可能としている。
【０００３】
しかしながら、特許文献１に開示された技術を適用する場合、携帯端末に高価な指紋センサーを設ける必要があり、また電波が届かず通信不能な場合などには、前述の各種対策を行うことが出来ない。
より簡便な方法としては、セキュリティロックに暗証番号を用いる方法がある。
情報端末にロックがかかった状態では、情報端末は、備える機能に対する使用要求を受けた場合、暗証番号の入力を促す。ユーザは暗証番号を入力するが、正規の暗証番号が入力されない場合には、前記ユーザは当該情報端末の前記機能を使用することはできない。
【特許文献１】特開２００４−３０４２９４号公報
【発明の開示】
【発明が解決しようとする課題】
【０００４】
しかしながら、前述した暗証番号の入力による認証において、情報端末が備えるキーパッドを用いて暗証番号を入力するには手間が掛かることから、暗証番号に対する総当たり攻撃を行うには時間を要するものの、試行をある程度の時間内に限った場合であっても、認証が解除されてしまう可能性は低くない。
上記の問題に鑑み、本発明は、セキュリティ強度を従来より向上させた情報端末を提供することを目的とする。
【課題を解決するための手段】
【０００５】
上記課題を解決するために、本発明の情報端末は、ロック解除のための第１の認証手段における所定数の認証失敗を検出する失敗検出手段と、前記第１の認証の解除を検出する第１解除検出手段と、前記所定数の認証失敗及び前記第１の認証の解除を検出した場合に、第２の認証手段を有効にする有効化手段とを備える。
【発明の効果】
【０００６】
本発明の情報端末は、上述の構成を備えることにより、第１の認証に所定数回失敗した場合に正規ユーザによる入力でないとみなして、更に、第２の認証を行うので、正規ユーザでないとみなされる利用者に、当該情報端末の機能を使用される可能性を従来よりも低減し、セキュリティ強度を向上させることができる。
【発明を実施するための最良の形態】
【０００７】
以下、本発明の実施の形態を図示例と共に説明する。
本発明の一実施の形態に係る情報端末としての携帯電話機１は、図１に示すように、音声入力部１１と、音声処理部１２と、音声出力部１３と、アンテナ１４と、無線部１５と、ＧＰＳ（Ｇｌｏｂａｌ  Ｐｏｓｉｔｉｏｎｉｎｇ  Ｓｙｓｔｅｍ）アンテナ１６と、ＧＰＳ処理部１７と、操作受付部１８と、制御部１９と、セキュア記憶部２０と、表示部２１とを含んで構成される。
【０００８】
携帯電話機１は、具体的には、マイクロプロセッサ、ＲＯＭ、ＲＡＭ、ディスプレイユニット、キーパッド、無線通信ユニット、アンテナから構成されるコンピュータシステムである。前記ＲＡＭには、コンピュータプログラムが記憶されている。前記マイクロプロセッサが、前記コンピュータプログラムに従って動作することにより、携帯電話機１は、その機能を達成する。
【０００９】
無線部１５は、アンテナ１４を介して、無線通信によって基地局（図示せず）から信号を受信し、受信した信号を復調することによりベースバンド信号を得て、当該ベースバンド信号を音声処理部１２に出力する。また、無線部１５は、音声処理部１２から受信するベースバンド信号を変調し、アンテナ１４を介して基地局に送信する。
音声出力部１３は、スピーカであり、音声信号を音声として携帯電話機１外部に対し出力する。
【００１０】
音声入力部１１は、マイクロフォンであり、入力される音声を音声信号へと変換し、音声処理部１２に出力する。
音声処理部１２は、無線部１５からベースバンド信号を受信し、当該ベースバンド信号を音声信号に変換して音声出力部１３に出力する。また、音声処理部１２は、音声入力部１１から音声信号を受信し、当該音声信号をベースバンド信号に変換して無線部１５に出力する。
【００１１】
操作受付部１８は、通常の携帯電話機に備わっている、通話先の電話番号を入力するためのテンキーや、オンフックキー、オフフックキーなど通話を行うのに必要なキーを含むキーパッドと、キーの押下を検出し、押下されたキーに応じた指示を制御部１９に対し送信するなどの制御回路を含んで構成される。
ＧＰＳ処理部１７は、ＧＰＳアンテナ１６を介して、複数のＧＰＳ衛星（図示せず）それぞれから電波を受信し、受信した電波に基づき、自装置が位置する場所の緯度、経度、高度等を示す位置情報や、時刻を示す時刻情報などを生成する。
【００１２】
表示部２１は、液晶ディスプレイと、表示生成部とを含んで構成され、前記表示生成部が制御部１９から表示指示を受け取り、当該表示指示に従い表示すべき画面を示す信号を前記液晶ディスプレイに出力する。前記液晶ディスプレイは、受け付けた信号に基づいて画面表示を行う。
セキュア記憶部２０は、データをセキュアに記憶するメモリデバイスであり、一例として、図２に示すように、アドレス帳情報２０１、メール情報２０２、メニュー情報２０３、緊急連絡先情報２０４、ＧＰＳ情報２０５、通信履歴情報２０６、ロック設定パスワード２０７、制限設定パスワード２０８、機能制限フラグ群２０９、ｌｏｃｋフラグ２１０、ｆａｉｌフラグ２１１、ｌｉｍｉｔフラグ２１２、課金情報２１３とを記憶する。
【００１３】
また、セキュア記憶部２０は、後述する制限解除シーケンスを記憶しているものとする。
アドレス帳情報２０１は、携帯電話機１のユーザが、１以上の、連絡先として指定した連絡先の名前、電話番号、メールアドレス等を対応付けて記憶したデータである。
メール情報２０２は、過去に送受信した電子メールの内容を示すデータである。
【００１４】
メニュー情報２０３は、メニュー等、表示すべき画面を構成するための画像情報等であり、予め記憶しているものである。
緊急連絡先情報２０４は、ユーザが指定した、緊急の連絡先の名前、電話番号、メールアドレス等である。
ＧＰＳ情報２０５は、ＧＰＳ処理部１７が、生成した時刻情報、位置情報のうち、新しく生成されたものから順に、所定数個を超えない範囲で含むデータである。
【００１５】
通信履歴情報２０６は、メール等データの送受信、通話などの履歴を含む情報である。
ロック設定パスワード２０７は、ユーザにより指定されたロック解除を行うためのパスワードを示す情報である。本実施の形態では、４桁の数字であるものとする。
制限設定パスワード２０８は、ユーザにより指定された機能制限の解除を行うためのパスワードを示す情報である。本実施の形態では、ロック設定パスワード２０７よりも桁数の多い１０桁の数字であるものとする。
【００１６】
制限設定パスワード２０８による認証は、ロック設定パスワード２０７による認証よりも、破られにくく、セキュリティ強度を高めている。
機能制限フラグ群２０９は、複数の機能フラグを含み、各機能フラグは当該機能が使用出来なくなっている制限状態であるか否かを示す。機能フラグが値１の場合、当該機能は使用できなくなっていることを示す。
【００１７】
機能制限フラグ群２０９は、一例として、通話フラグ２３１、メールフラグ２３２、ＷＥＢフラグ２３３、電話帳フラグ２３４、カメラフラグ２３５、着信音フラグ２３６、連絡先フラグ２３７を含んで構成される。
ｌｏｃｋフラグ２１０は、ユーザによりロック設定状態にされた場合に、１に設定され、ロック設定パスワードの入力に成功した場合に、０に設定される。
【００１８】
ｆａｉｌフラグ２１１は、正当なロック設定パスワードの入力に失敗した回数（例えば５回）を記憶しておくカウンタである。
ｌｉｍｉｔフラグ２１２は、使用できる機能に制限のない状態では、値が０であり、機能制限状態に入った場合に、値１が設定される。
課金情報２１３は、有料のコンテンツのダウンロードを行った際にサーバから示された金額、通話時間に基づき算出したおおよその通話料などの金額を示すデータである。
【００１９】
制御部１９は、マイコンとその制御ソフトウェア等を含んで構成され、携帯電話機１の全体制御を行う。制御部１９の動作については後述する。
＜動作＞
（準備処理）
携帯電話機１の所有者は、予め、機能制限を行う機能を選択し、携帯電話機１に入力する。
【００２０】
具体的には、前記所有者が、操作受付部１８を介して、機能制限を行う機能の選択開始を指示すると、制御部１９は、操作受付部１８から、選択開始指示を受け取る。
制御部１９は、表示部２１に、一例として図３（ａ）に示す機能制限選択パネル３０４を表示させる。
前記所有者は、機能制限を行う機能を、携帯電話機１が備える、通話機能、メール機能、ＷＥＢ閲覧機能、電話帳表示機能、カメラ機能、着信音選択機能、連絡先表示機能等から選択して、操作受付部１８を用いて入力する。
【００２１】
操作受付部１８は、前記入力に応じて、機能制限すべき機能を、制御部１９に通知する。
制御部１９は、機能制限を指定する通知に従い、機能制限フラグ２０９のうち、対応する機能フラグの値を１に設定する。
例えば、制御部１９は、機能制限すべき機能が通話機能である旨の通知を受け取った場合、通話フラグ２３１の値を１にする。
【００２２】
また、制御部１９は、機能制限すべき機能はメール送受信機能である旨の通知を受け取った場合、メールフラグ２３２の値を１にする。
同様に、機能制限すべき機能が、ＷＥＢ閲覧機能、電話帳表示機能、カメラ機能、着信音選択機能、連絡先表示機能のいずれかである場合には、当該機能に対応するＷＥＢフラグ２３３、電話帳フラグ２３４、カメラフラグ２３５、着信音フラグ２３６、連絡先フラグ２３７のいずれかの値を１にする。
【００２３】
ここで、機能制限する機能は、必ずしも設定する必要はないし、１以上の機能、全ての機能を設定してもよい。
（ロック設定及び解除処理）
ロック設定及び解除処理について、図４を参照しながら説明する。
前記所有者は、上述したように、自身の望む機能に対し機能制限フラグを設定した後、操作受付部１８を介して、特定のキーを押したり、表示部２１に表示されるメニューから選択するなどによって、ロック状態に移行するよう指示する。
【００２４】
操作受付部１８は、入力された前記ロック状態への移行指示を制御部１９へと出力し、制御部１９は、ロック状態への移行指示を受け取る（ステップＳ１０１）。
制御部１９は、変数ｌｉｍｉｔに０を代入し、変数ｌｏｃｋに１を代入し、変数ｆａｉｌに０を代入し、それぞれをｌｉｍｉｔ２１２、ｌｏｃｋ２１０、ｆａｉｌ２１１としてセキュア記憶部２０に記憶する。
【００２５】
以後、特に記載をしなくても、変数ｌｉｍｉｔの値を変更した場合には、セキュア記憶部２０に記憶されているｌｉｍｉｔ２１２も前記変更後の値で上書きすることにより同期を取るものとする。変数ｌｉｍｉｔの場合と同様に、変数ｌｏｃｋ、変数ｆａｉｌの値を変更した場合についても、ｌｏｃｋ２１０、ｆａｉｌ２１１と同期を取るものとする。ロック状態においては、携帯電話機１は、ロックの解除シーケンスの開始指示と、パスワードの入力を受け付けて、受け付けた入力に応じた処理を行うのみで、メールの送信処理その他の処理は行わないものとする。
【００２６】
ここまでは、ロック設定処理であり、以降がロックの解除処理である。
ユーザが操作受付部１８を用いてロック解除シーケンスの開始指示を入力すると、制御部１９は、操作受付部１８を介して、ロックの解除シーケンスの開始指示を受け取る。制御部１９は、図３（ｂ）のパネル３０２を表示部２１に表示させて（ステップＳ１０３）、ユーザに対しロック解除パスワードの入力を促す。
【００２７】
ユーザは操作受付部１８を介してロック解除パスワードを入力し、制御部１９は、操作受付部１８からロック解除パスワードを受け取る（ステップＳ１０４）。
制御部１９は、受け取ったロック解除パスワードとロック設定パスワード２０７とが一致するか否か判定し（ステップＳ１０５）、一致しない場合には、変数ｆａｉｌを１インクリメントし（ステップＳ１０６）、ｆａｉｌが予め設定されている、パスワード入力失敗回数Ｎより大きいか否かを判定する（ステップＳ１０７）。
【００２８】
Ｎは、携帯電話機１の設計段階で定められた値であり、ここでは５であるとするが、設計内容に従い値を変更しても全く問題はない。
ｆａｉｌがＮ以上である場合には（ステップＳ１０７：ＹＥＳ）、ｌｉｍｉｔに１を代入して（ステップＳ１０８）、ステップＳ１０４に移行し、ｆａｉｌがＮ以上でない場合には（ステップＳ１０７：ＮＯ）、ステップＳ１０４に移行する。
【００２９】
また、ステップＳ１０５において、ロック解除パスワードがロック設定パスワード２０７と一致した場合（ステップＳ１０５：ＹＥＳ）、ｌｏｃｋが１であるか否かを判定する（ステップＳ１０９）。
ｌｏｃｋが１でない場合（ステップＳ１０９：ＮＯ）、処理を終了し、ｌｏｃｋが１である場合（ステップＳ１０９：ＹＥＳ）、図３（ｃ）に示すパネル３０１を表示し（ステップＳ１１０）、緊急連絡先情報２０４が示す連絡先に通知メールを送信することにより緊急連絡を行う（ステップＳ１１１）。
【００３０】
ここで、携帯電話機１を現在使用している者が、正規の所有者でない場合には、前記緊急連絡が成されたことを認識することにより携帯電話機１の使用をあきらめる可能性が高くなるため、正規の所有者の手元に、携帯電話機１が戻る可能性が高まることが期待できる。
前記通知メールの内容には、ＧＰＳ情報２０５のうち、最新の時刻情報、位置情報が含まれる。
【００３１】
次に、ユーザは、制限解除シーケンスの入力を行う（ステップＳ１１２）。
前記制限解除シーケンスは、携帯電話機１の持ち主が予め設定したり又は制御部１９に予めプログラムされているシーケンスである。例えば、前記キーパッドのうち、特定のキーを長押ししたり、複数のキーを予め定めた順番に押下するなどである。制限解除を行おうとするユーザが、制限解除シーケンスを知らない場合には、当然、制限解除を行うことが出来ない。当該制限解除シーケンスは、セキュア記憶部２０に記憶されている。これによって、携帯電話機１の持ち主以外の者による、制限解除が成されにくくなっている。
【００３２】
ステップＳ１１２において、制限解除シーケンスの入力が成されると、制御部１９は、図３（ｄ）に示す制限解除パネル３０３を表示部２１に表示させ（ステップＳ１１３）、ユーザに制限解除パスワードの入力を促す。
制御部１９は、操作受付部１８を介して、ユーザが入力する制限解除パスワードを受け取る（ステップＳ１１４）。
【００３３】
制御部１９は、制限解除パスワードと、制限設定パスワード２０８が一致するか否かを判定する（ステップＳ１１５）。
制限解除パスワードと制限設定パスワードとが一致しなかった場合には（ステップＳ１１５：ＮＯ）、ステップ１１４に移行し、制限解除パスワードと制限設定パスワードとが一致した場合には（ステップＳ１１５：ＹＥＳ）、変数ｌｏｃｋに０を代入し（ステップＳ１１６）、処理を終了する。
（携帯電話機１の全体動作概略）
上述したロック設定及び解除処理において、ｌｉｍｉｔフラグ２１２が１になっている場合、即ち機能制限状態である場合の携帯電話機１の全体動作について図５を用いて説明する。なお、ｌｉｍｉｔフラグ２１２が値０である場合は、機能制限状態に入っていないことから他の一般的な携帯電話機の動作と特に違いがないので、説明を省略する。
【００３４】
携帯電話機１のユーザは、操作受付部１８を介して、使用を要求する機能を指示する入力を行う。制御部１９は、操作受付部１８から、使用を要求する機能を示す機能情報を取得する（ステップＳ２０１）。
制御部１９は、使用を要求する機能に対応するフラグが１であるか否かを判定する（ステップＳ２０２、Ｓ２１１、Ｓ２２１、Ｓ２３１、Ｓ２４１、Ｓ２５１、Ｓ２６１、Ｓ２７１）。
【００３５】
例えば、使用を要求する機能が、通話機能であった場合、制御部１９は、セキュア記憶部２０に記憶されている機能制限フラグ群２０９のうち、通話フラグ２３１の値を読み出し、通話フラグ２３１の値が１であるか否かを判定する（ステップＳ２１１）。
同様に、使用を要求する機能が、メール送受信機能であった場合、制御部１９は、機能制限フラグ２０９のうち、メールフラグ２３２の値を読み出し、値が１か否かを判定する（ステップＳ２２１）。
【００３６】
使用を要求する機能に対応するフラグが１であった場合（ステップＳ２１１：ＹＥＳ、Ｓ２２１：ＹＥＳ、Ｓ２３１：ＹＥＳ、Ｓ２４１：ＹＥＳ、Ｓ２５１：ＹＥＳ、Ｓ２６１：ＹＥＳ、Ｓ２７１：ＹＥＳ）、要求された機能に対応する処理を行わず、機能使用不可パネル（図示せず）を表示して（ステップＳ２０３）、当該機能の使用ができない旨をユーザに通知して、ステップＳ２０１に移行して、ユーザによる次の使用要求機能の入力を待つ。
【００３７】
使用を要求する機能に対応するフラグが１でない場合（ステップＳ２１１：ＮＯ、Ｓ２２１：ＮＯ、Ｓ２３１：ＮＯ、Ｓ２４１：ＮＯ、Ｓ２５１：ＮＯ、Ｓ２６１：ＮＯ、Ｓ２７１：ＮＯ）、要求された機能に対応する処理を行い（ステップＳ２１２、Ｓ２２２、Ｓ２３２、Ｓ２４２、Ｓ２５２、Ｓ２６２、Ｓ２７２）、ステップＳ２０１に移行して、ユーザによる次の使用要求機能の入力を待つ。
【００３８】
例えば、ステップＳ２１１において通話フラグが１でないと判定された場合には、通話処理を行う。また、ステップＳ２２１においてメールフラグが１でないと判定された場合には、メール送受信処理を行う。
通話処理、メール送受信処理については、一般的な他の携帯電話機における通話処理、メール送受信処理と特に違いはないので、説明は省略する。
【００３９】
また、ステップＳ２３２におけるＷＥＢの閲覧処理、ステップＳ２４２における電話帳の表示処理、ステップＳ２５２におけるカメラによる写真の撮影処理、ステップＳ２６２における着信音の設定処理、ステップＳ２７２にける連絡先の表示処理についても、通話処理、メール送受信処理と同様に、一般的な他の携帯電話機における処理と特に違いはないので、説明は省略する。
＜変形例＞
なお、本発明を上記の実施の形態に基づいて説明してきたが、本発明は、上記の実施の形態に限定されるものではなく、本発明の要旨を逸脱しない範囲内において種々変更を加え得ることは勿論である。
【００４０】
（１）携帯電話機１は、更に、ランダムなパスワードを生成し、生成したパスワードを、制限設定パスワードとして、記憶するとともに、そのパスワードを前記緊急連絡先に送信することとしてもよい。
携帯電話機１の正規のユーザは、緊急連絡先に送信されたパスワードを、前記制限解除パスワードとして、携帯電話機１に入力することになる。
【００４１】
これにより、制限設定パスワードを、固定することなく、ランダムに変更することができるので、制限設定パスワードの解析はより困難になり、携帯電話機１のセキュリティ強度は高まる。
（２）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【００４２】
（３）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、半導体メモリなど、に記録したものとしてもよい。また、これらの記録媒体に記録されている前記コンピュータプログラム又は前記デジタル信号であるとしてもよい。
【００４３】
（４）上記実施の形態及び上記変形例をそれぞれ組み合わせるとしてもよい。
なお、特許請求の範囲の各請求項において、失敗検出手段は、実施の形態の制御部１９が行う処理のうちステップＳ１０５〜Ｓ１０８に対応し、第１解除検出手段は、制御部１９が行う処理のうちＳ１０５：ＹＥＳに対応し、生成手段は、制御部１９が行う処理のうちＳ１０９：ＹＥＳ〜Ｓ１１６に対応している。
【００４４】
また、第２解除検出手段は、制御部１９が行う処理のうちＳ１１５：ＹＥＳに対応し、制限解除手段は、制御部１９が行う処理のうちＳ１１６に対応し、記憶手段は、携帯電話機１のセキュア記憶部２０に対応している。
操作受付手段は、制御部１９が行う処理のうちステップＳ１１２に対応し、シーケンス記憶手段は、セキュア記憶部２０に対応している。
【産業上の利用可能性】
【００４５】
本発明の情報端末は、個人情報の記憶が出来る端末として、ネットワークなどの通信システムを構成するのに用いられる。
【図面の簡単な説明】
【００４６】
【図１】本発明の一実施の形態に係る携帯電話機の内部構成を示すブロック図である。
【図２】セキュア記憶部がセキュアに記憶するデータ構造の一例を示す図である。
【図３】表示部に表示するパネルの一例を示す図である。
【図４】ロック解除処理を示すフローチャートである。
【図５】機能制限状態である場合の携帯電話機の全体動作を示す図である。
【符号の説明】
【００４７】
１１  音声入力部
１２  音声処理部
１３  音声出力部
１４  アンテナ
１５  無線部
１６  ＧＰＳアンテナ
１７  ＧＰＳ処理部
１９  制御部
２０  セキュア記憶部
２１  表示部
【図１】
2008148048.tif 000003
【図２】
2008148048.tif 000004
【図３】
2008148048.tif 000005
【図４】
2008148048.tif 000006
【図５】
2008148048.tif 000007